(57)【要約】      （修正有）【課題】美しい外観を有し、組立が容易で、簡素な部材を用い、環境を保護することができる手すり構造を提供する。【解決手段】手すり構造１００は、フレーム１、少なくとも１つの地面支持構造２、少なくとも１つの曲げ飾り枠４及び少なくとも１つの末端部材５ａ，５ｂ，５ｃを備える。フレーム１は、所定の厚さを有する少なくとも１つのフレームプレート１１ａ，１１ｂ，１１ｃ，１１ｄを有し、フレームプレート１１ａ，１１ｂ，１１ｃ，１１ｄにより飾り枠配置空間Ａ１及び観賞面Ｉ１が画成される。地面支持構造２は、フレーム１の底部に接続され、少なくとも１つの固定ユニットにより、地面の所定箇所にフレーム１を位置決めする。曲げ飾り枠４は、少なくとも１つの延伸部分４１が、フレームプレート１１ａ，１１ｂ，１１ｃ，１１ｄに接続され、飾り枠配置空間Ａ１で、観賞面Ｉ１の水平方向Ｉ２で曲げられて延伸される。【選択図】図１
0003169340.tif 000002
【実用新案登録請求の範囲】
【請求項１】
フレーム、少なくとも１つの地面支持構造、少なくとも１つの曲げ飾り枠及び少なくとも１つの末端部材を備える手すり構造であって、
前記フレームは、所定の厚さを有する少なくとも１つのフレームプレートを有し、前記フレームプレートにより飾り枠配置空間及び観賞面が画成され、
前記地面支持構造は、前記フレームの底部に接続され、少なくとも１つの固定ユニットにより、地面の所定箇所に前記フレームを位置決めし、
前記曲げ飾り枠は、少なくとも１つの延伸部分が、前記フレームプレートに接続され、前記飾り枠配置空間で、前記観賞面の水平方向で曲げられて延伸され、
前記末端部材は、前記曲げ飾り枠に接続されることを特徴とする手すり構造。
【請求項２】
前記曲げ飾り枠はアルミニウム鍛造の飾り枠であることを特徴とする請求項１に記載の手すり構造。
【請求項３】
前記末端部材はアルミニウム鍛造部材であることを特徴とする請求項１に記載の手すり構造。
【請求項４】
前記地面支持構造と前記フレームとは、はんだにより接続されることを特徴とする請求項１に記載の手すり構造。
【請求項５】
前記曲げ飾り枠と前記フレームプレートとは、はんだにより接続されることを特徴とする請求項１に記載の手すり構造。
【請求項６】
前記フレームプレートにより画成された前記飾り枠配置空間に配置された基準飾り枠をさらに備えることを特徴とする請求項１に記載の手すり構造。
【請求項７】
前記基準飾り枠はアルミニウム鍛造の飾り枠であることを特徴とする請求項６に記載の手すり構造。
【請求項８】
前記基準飾り枠と前記フレームプレートとは、はんだにより接続されることを特徴とする請求項６に記載の手すり構造。
【考案の詳細な説明】
【技術分野】
【０００１】
本考案は、手すり構造に関し、特に、フレーム、曲げ飾り枠、末端部材及び基準飾り枠から構成され、曲げ飾り枠、末端部材又は基準飾り枠がアルミニウム鍛造品である手すり構造に関する。
【背景技術】
【０００２】
従来の手すり構造は、立柱と横柱との単純な組み合わせから構成され、基本的な手すりとしての機能を有しているが、美観の点で改善の余地がある。近年、手すりの製造メーカは、消費者に好まれるように製品の見栄えを良くし、多様性を向上させるために、手すり本体に様々な装飾部材を設けている。
【０００３】
従来の手すりは、どのような様式のものでも、商品価値及び美観を向上させるために、多くの部材から構成されている。これらの部材は、人の手により組み合わせたり接続したりする必要があるが、部材が多いため、スループットが低く、製造速度に時間がかかる。また、従来の手すりは、小型の部品のみしか事前に成型することができないため、経験豊富な作業員でなければ一定水準に達する製品を組み立てることができない。
【０００４】
従来の手すり構造は、各部材を固定する作業に時間が多くかかる。また、手すりの部材が多くなるに従い、全体的に重量が非常に重くなり、建築物にかかる荷重が増す。特に、従来の手すりは、鋼鉄、鋳鉄などの重い材料を使用することが一般的であるため、建築物に対する荷重が増えたり、材料コストの変動に対応し難かったり、耐久性が好ましくないなどの問題点がある。
【０００５】
また、従来の手すりは、材料に鋼鉄、鋳鉄などを用いているため、成形性及び加工性が好ましくない。そのため、製造の手間がかかり、製造時間が多くかかる。
【０００６】
耐久性の面では、金属材料を手すりの材料として使用する際、溶融亜鉛めっき工程、金具の焼付塗装工程などをさらに行う必要があるが、環境保護及びグリーンビルディングの基準を満たすことは容易でない。
【考案の概要】
【考案が解決しようとする課題】
【０００７】
本考案の目的は、美しい外観を有し、組立が容易で、簡素な部材を用い、環境を保護することができる手すり構造を提供することにある。
【課題を解決するための手段】
【０００８】
上記課題を解決するために、請求項１の考案では、フレーム、少なくとも１つの地面支持構造、少なくとも１つの曲げ飾り枠及び少なくとも１つの末端部材を備える手すり構造であって、前記フレームは、所定の厚さを有する少なくとも１つのフレームプレートを有し、前記フレームプレートにより飾り枠配置空間及び観賞面が画成され、前記地面支持構造は、前記フレームの底部に接続され、少なくとも１つの固定ユニットにより、地面の所定箇所に前記フレームを位置決めし、前記曲げ飾り枠は、少なくとも１つの延伸部分が、前記フレームプレートに接続され、前記飾り枠配置空間で、前記観賞面の水平方向で曲げられながら延伸され、前記末端部材は、前記曲げ飾り枠に接続されることを特徴とする。
【０００９】
請求項２の考案では、前記曲げ飾り枠はアルミニウム鍛造の飾り枠であることを特徴とする。
【００１０】
請求項３の考案では、前記末端部材はアルミニウム鍛造部材であることを特徴とする。
【００１１】
請求項４の考案では、前記地面支持構造と前記フレームとは、はんだにより接続されることを特徴とする。
【００１２】
請求項５の考案では、前記曲げ飾り枠と前記フレームプレートとは、はんだにより接続されることを特徴とする。
【００１３】
請求項６の考案では、前記フレームプレートにより画成された前記飾り枠配置空間に配置された基準飾り枠をさらに備えることを特徴とする。
【００１４】
請求項７の考案では、前記基準飾り枠はアルミニウム鍛造の飾り枠であることを特徴とする。
【００１５】
請求項８の考案では、前記基準飾り枠と前記フレームプレートとは、はんだにより接続されることを特徴とする。
【考案の効果】
【００１６】
本考案の手すり構造は、以下（１）〜（３）の効果を有する。
（１）簡素な部材の組み合わせにより構成され、フレームプレート、曲げ飾り枠、末端部材、基準飾り枠を用いるだけで、見栄えの良い手すり構造を組み立てることができ、工場でも現場でも容易に組立てることができる。
（２）簡素な基準飾り枠により飾り枠配置空間が画成され、飾り枠配置空間内に一体成形したり、予め成型したり、予め組み立てられた曲げ飾り枠を配置したりすることにより、手すりを組み立てて製品を完成させることにより、小型の部品しか成型できず、経験豊富な作業員でなければ一定水準に達する製品を組み立てることができないといった従来の問題点を無くすことができる。
（３）曲げ飾り枠、末端部材又は基準飾り枠をアルミニウム鍛造部材を用いて製作することにより、軽量化し、建築物の荷重量を増やさず、材料コスト及び製造コストを減らすことができる上、材料が伸張性を有するために様々な形状に曲げることができ、環境保護及びグリーンビルディングの基準を満たすことができる（亜鉛めっき、従来の焼付塗装などが必要ない）。また、陽極酸化処理が可能であり、防食性を有し、手すりに必要な強度の要求を満たし、耐食性及び加工性に優れ、成形性が好ましく、環境を汚染せず、表面処理が施し易く、毒性、低温性及び汚染性がない。
【図面の簡単な説明】
【００１７】
【図１】本考案の一実施形態による手すり構造を示す斜視図である。
【図２】本考案の一実施形態による手すり構造を示す分解斜視図である。
【考案を実施するための形態】
【００１８】
以下、考案の実施の形態を通じて本考案を説明するが、以下の実施形態は実用新案登録請求の範囲にかかる考案を限定するものではなく、また実施形態の中で説明されている特徴の組み合わせの全てが考案の解決手段に必須であるとは限らない。
【００１９】
図１及び図２を参照する。図１及び図２に示すように、本考案の一実施形態による手すり構造１００は、フレーム１を有する。このフレーム１は、それぞれ所定の厚さｄを有するフレームプレート１１ａ，１１ｂ，１１ｃ，１１ｄを有する。
【００２０】
本実施形態のフレーム１は、１対の横向きのフレームプレート１１ａ，１１ｂと１対の縦向きのフレームプレート１１ｃ，１１ｄとから構成される。フレームプレート１１ａ，１１ｂ，１１ｃ，１１ｄにより、飾り枠配置空間Ａ１が画成されている。飾り枠配置空間Ａ１は、正面方向に観賞面Ｉ１が設けられ、横向きに広がる方向には、水平方向Ｉ２が設けられている。
【００２１】
フレーム１の底部には、少なくとも１つの地面支持構造２が接続されている。フレーム１は、地面支持構造２及び少なくとも１つの固定ユニット２１により、地面の所定の箇所に位置決めされている。
【００２２】
少なくとも１つの基準飾り枠３は、フレームプレート１１ａ，１１ｂ，１１ｃ，１１ｄにより画成された飾り枠配置空間Ａ１内に配置されている。飾り枠配置空間Ａ１内には、基準飾り枠３とフレームプレート１１ａ，１１ｂ，１１ｃ，１１ｄとにより、少なくとも１対のサブ分割空間Ａ１１，Ａ１２が画成され、縦向きの基準飾り枠３以外に、横向きの基準飾り枠３ａが付加的に配置されている。
【００２３】
少なくとも１つの曲げ飾り枠４は、飾り枠配置空間Ａ１内に配置されている。本実施形態のフレーム１は、１対の曲げ飾り枠４を有し、各曲げ飾り枠４の少なくとも１つの延伸部分４１は、基準飾り枠３と、フレームプレート１１ａ，１１ｂ，１１ｃ，１１ｄのうちの１つとに接続されている。延伸部分４１は、飾り枠配置空間Ａ１内のサブ分割空間Ａ１１，Ａ１２内で、観賞面Ｉ１の水平方向Ｉ２で延伸するように形成され、左右対称に曲線状に形成されている。
【００２４】
曲げ飾り枠４は、上述の態様だけに限定されるわけではなく、他の実施形態では、飾り枠配置空間Ａ１内に、１つだけ配置してもよく、必ずしも左右対称又は上下対称に形成しなくともよい。
【００２５】
本実施形態は、曲げ飾り枠４又は基準飾り枠３，３ａに接続された少なくとも１つの末端部材をさらに備える。例えば、基準飾り枠３と基準飾り枠３ａとの接続部に末端部材５ａを配置したり、曲げ飾り枠４の中央部に末端部材５ｂを配置したり、曲げ飾り枠４の末端部分に末端部材５ｃを配置したりしてもよいが、本考案の態様はこれらの位置だけに限定されるわけではない。
【００２６】
上述の基準飾り枠３及び曲げ飾り枠４のうちの少なくとも１つは、アルミニウム鍛造の飾り枠でもよい。アルミニウム鍛造材料で製作された飾り枠は、軽量で、建築物に与える負荷が小さく、材料コスト及び製造コストが低く、溶融亜鉛めっき工程が必要無い上、環境保護及びグリーンビルディングの基準（亜鉛めっき、従来の焼付塗装などが必要ない）を満たすことができる。また、伸張性を有するため、様々な形状に曲げることもできる。さらに、陽極酸化処理が可能であり、防食性を有するなどの長所がある。
【００２７】
以下、各部材間の接続方式を説明する。地面支持構造２とフレーム１とは、はんだＨにより接続される。基準飾り枠３と何れか１つのフレームプレート１１ａ，１１ｂ，１１ｃ，１１ｄとは、はんだＨにより接続される。曲げ飾り枠４と、基準飾り枠３と、何れか１つのフレームプレート１１ａ，１１ｂ，１１ｃ，１１ｄとの間は、はんだＨにより接続される。当業者なら分かるように、各部材は、はんだ付けにより接続される以外に、一体成形により製作してもよい。
【００２８】
当該技術分野の当業者が実施できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２９】
１・・・フレーム、２・・・地面支持構造、３・・・基準飾り枠、３ａ・・・基準飾り枠、４・・・曲げ飾り枠、５ａ・・・末端部材、５ｂ・・・末端部材、５ｃ・・・末端部材、１１ａ・・・フレームプレート、１１ｂ・・・フレームプレート、１１ｃ・・・フレームプレート、１１ｄ・・・フレームプレート、２１・・・固定ユニット、４１・・・延伸部分、１００・・・手すり構造、Ａ１・・・飾り枠配置空間、Ａ１１・・・サブ分割空間、Ａ１２・・・サブ分割空間、Ｈ・・・はんだ、Ｉ１・・・観賞面、Ｉ２・・・水平方向、ｄ・・・厚さ。
【図１】
0003169340.tif 000003
【図２】
0003169340.tif 000004